(57)【特許請求の範囲】
【請求項１】
二酸化炭素を溶解する液体媒体中に固体であるカルシウム、酸化カルシウム又は水酸化カルシウムを入れ、該液体媒体中に二酸化炭素を０．２ＭＰａ以上の噴射圧で直接噴射して該液体媒体中に二酸化炭素を供給し、存在させると共に、併せて該液体媒体を動揺させることにより、前記液体媒体を介して前記カルシウム、酸化カルシウム又は水酸化カルシウムに衝撃を与えながら前記カルシウム、酸化カルシウム又は水酸化カルシウムと二酸化炭素とを接触させるとともに、前記カルシウム、酸化カルシウム又は水酸化カルシウムは前記二酸化炭素を直接噴射する段階において固体のまま液体媒体中に存在させて化学反応を行わせることにより前記カルシウム、酸化カルシウム又は水酸化カルシウムが炭素及び酸素と化学量論的な結合及び不定比状態で結合した状態で二酸化炭素中の炭素を固定化する方法。
【発明の詳細な説明】
【技術分野】
【０００１】
本発明は、カルシウム又はカルシウム化合物に衝撃を与えることにより二酸化炭素（ＣＯ２）中の炭素を固定する方法に関する。
【背景技術】
【０００２】
化石燃料の燃焼によって発生する二酸化炭素が温室効果による地球温暖化の原因物質であることから、二酸化炭素を固定化するための技術の開発が進められている。
【０００３】
二酸化炭素を固定化する最も簡単な方法は、二酸化炭素を含むガスをアルカリ性水溶液と接触させて、炭酸塩として除去する方法が考えられる。
【０００４】
しかし、この方法では、回収された炭酸塩が稀薄な溶液であったり、或いは不純物等も夾雑したりして、何ら利用することができない。また、アルカリ源として水酸化カルシウムを用いれば、炭酸カルシウムの沈殿として回収は可能であるが、水酸化カルシウムの溶解度が小さいため、大量の溶液が必要であるとか、沈殿物が装置に詰まるなど、効率よく二酸化炭素を固定化することができない。
【０００５】
そこで、特許文献１には、効率よく二酸化炭素を固定することができる二酸化炭素固定溶液として、サマリウムと、ヨウ化サマリウムと、ハロゲン化アルキル（３）を使用し、この二酸化炭素固定溶液に光を照射することによって、上記二酸化炭素固定溶液に溶解した二酸化炭素とハロゲン化アルキル（３）とを反応させて二酸化炭素を固定する二酸化炭素固定方法が開示されている。
【０００６】
また、特許文献２には、二酸化炭素を有用な物質の生成に利用して固定することができる二酸化炭素固定方法として、吸収塔から排出される吸収液を、貯留槽を介して吸収塔に還流させ、排ガスと吸収液とを気液接触させて、吸収液の水素イオン指数が所定の値となった場合に、吸収液にアルカリ水を混入して炭酸塩水を生成する。そして、炭酸塩水に水酸化カルシウム水を混入し、炭酸カルシウムを析出させ、二酸化炭素を有用な炭酸カルシウムの生成に利用して固定することが開示されている。
【０００７】
これらの方法は、二酸化炭素を有効利用することは可能ではあるが、回収コストが高くなり、実用性に難がある。
【特許文献１】特開２００７−７５６６３号公報
【特許文献２】特開２００６−１５０２３２号公報
【発明の開示】
【発明が解決しようとする課題】
【０００８】
本発明は、安価で容易に入手できるカルシウム又はカルシウム化合物を用いて簡単な操作により二酸化炭素中の炭素を固定する方法を提供するものである。
【課題を解決するための手段】
【０００９】
すなわち、本願請求項１に係る発明は、二酸化炭素を溶解する液体媒体中に固体であるカルシウム、酸化カルシウム又は水酸化カルシウムを入れ、該液体媒体中に二酸化炭素を０．２ＭＰａ以上の噴射圧で直接噴射して該液体媒体中に二酸化炭素を供給し、存在させると共に、併せて該液体媒体を動揺させることにより、前記液体媒体を介して前記カルシウム、酸化カルシウム又は水酸化カルシウムに衝撃を与えながら前記カルシウム、酸化カルシウム又は水酸化カルシウムと二酸化炭素とを接触させるとともに、前記カルシウム、酸化カルシウム又は水酸化カルシウムは前記二酸化炭素を直接噴射する段階において固体のまま液体媒体中に存在させて化学反応を行わせることにより前記カルシウム、酸化カルシウム又は水酸化カルシウムが炭素及び酸素と化学量論的な結合及び不定比状態で結合した状態で二酸化炭素中の炭素を固定化する方法である。
【００１０】
上記請求項１に係る発明において、カルシウム又はカルシウム含有化合物に衝撃を与える手段として好ましい態様は、固体状のカルシウム又はカルシウム含有化合物に直接二酸化炭素を噴射する手段である。この場合の噴射圧は、０．２ＭＰａ以上、好ましくは、０．５ＭＰａであり、１ＭＰａを超えても効果はあまり変わらない。
【００１１】
本発明において、好ましい衝撃付与の手段として、カルシウム又はカルシウム含有化合物を液体媒体中に入れ、該液体媒体中に二酸化炭素を噴射する手段である。この場合、二酸化炭素は液体媒体中に溶解し、カルシウム又はカルシウム含有化合物の周辺に存在することになり、しかも、二酸化炭素を高速で噴射することにより液を動揺させることができる。このため、例えば０．２ＭＰａ以上、好ましくは０．５ＭＰａ程度の高圧で二酸化炭素を液中に噴射するか、或いは別途攪拌器により、液体媒体を高速で攪拌する手段や、ポンプ液体媒体を高速循環させる手段を併用することにより一層の効果を得ることができる。
【００１２】
また、液体媒体としては、水が一般的であるが、メタノール、エタノールあるいはイソプロパノール等のアルコール類、更にはベンゼン、トルエン、キシレン等の炭化水素類等、二酸化炭素を比較的溶解しやすい液体媒体も有効に使用することができる。
【００１３】
本発明において、二酸化炭素中の炭素を固定化するとは、カルシウム又はカルシウム含有化合物が炭素及び酸素と化学量論的な結合のみならず、不定比状態で結合した状態をとり、結果として二酸化炭素由来の炭素が固定化されていることを意味するものである。かかる固定化を単に二酸化炭素を固定化するとも言い、得られる化合物を不定比含炭素カルシウム化合物という。
【００１４】
また、本発明において用いられるカルシウム又はカルシウム含有化合物とは、カルシウム金属及び酸化カルシウム、水酸化カルシウム、カルシウム含有鉱物、例えば方解石、大理石、石灰岩、セメント、コンクリート等、カルシウムを成分として含有する物質であって、中でも、金属カルシウム、酸化カルシウム及び水酸化カルシウムが好適に用いられる。
【発明の効果】
【００１５】
本発明は、安価で容易に入手できる固体であるカルシウムあるいはカルシウム化合物に二酸化炭素を噴射するだけの簡単な操作で二酸化炭素を固定化することができる。
【発明を実施するための最良の形態】
【００１６】
本発明の最大の特徴は、衝撃を与えながらカルシウム又はカルシウム含有化合物と二酸化炭素とを接触させることにより動的条件下に化学反応を行わせることにある。このため、静的条件下では、化学量論的な反応しか生じない。例えば水酸化カルシウムと二酸化炭素は水の共存下では単に炭酸カルシウム（ＣａＣＯ３）を生成するだけであるが、本発明にあっては単にＣａＣＯ３の生成のみならず、場合によっては炭素の単体からＣａＣｘＯｙ（但し、ｘ、ｙはそれぞれ任意の数）のカルシウム、炭素及び酸素の不定比の化合物よりなる混合物として得られるのである。その一例を図１に示す。
【００１７】
図１は、本発明の実施として炭酸ガス・スプレー（ガス圧、約０．２ＭＰａ）を用い、常温下に金属カルシウムに１０秒間炭酸ガスを噴射した場合の生成物におけるＣａＯとＣＯ２の割合を示す図である。もし生成物がＣａＣＯ３であれば、ＣａＯとＣＯ２との割合はＣａＯ＝５６％、ＣＯ２＝４４％となるはずであるが、図１においてはＣＯ２＝０から６０％まで、それに対してＣａＯは、ＣａＯ＝１００から４０％の化合物が生成している。
【００１８】
本発明を実施例により説明する。
【参考例１】
【００１９】
１．使用薬品
（１） カルシウム（Ｃａ）（キシダ化学（株）製，９９％）
（２）炭酸ガス・スプレー（中村理科工業製，９５％および大陽白酸，９９．９％
２．試験方法
Ｃａをガラスプレートの上に両面テープで留め置き、このＣａに炭酸ガス・スプレーによりＣＯ２を照射した。照射温度は常温（２４℃）および高温（８５℃）で行った。
【００２０】
３．試験結果
（１）常温（２４℃）で１０秒間炭酸ガス・スプレーの照射：ＣＯ２＝７〜１５％がＣａと反応。生成物は炭酸塩質であった。
【００２１】
（２）高温（８５℃）で１０秒間炭酸ガス・スプレーの照射：ＣＯ２＝１５〜４３％がＣａと反応。方解石はＣＯ２＝４４％なので、高温で方解石組成がわずか生成していた。生成した炭酸塩微粒子は、１μｍサイズの微粒子の集合体であった。
【参考例２】
【００２２】
１．使用薬品
酸化カルシウム（ＣａＯ）（キシダ化学（株）製，９８％）
２．試験方法
ＣａＯをガラスプレートの上に両面テープで留め置き、このＣａＯに炭酸ガス・スプレーでＣＯ２を照射した。
【００２３】
照射温度は常温（２４℃）および高温（８５℃）で行った。車の排気ガス（駐車時始発前と３０分走行後８５℃）についても試験した。
【００２４】
３．試験結果
（１）常温（２４℃）で１０秒間炭酸ガス・スプレーの照射：ＣＯ２＝１１〜２４％がＣａＯと反応。方解石でなく、炭酸塩質であった。
【００２５】
（２）高温（８５℃）で１０〜６０秒間照射：ＣＯ２＝２２−５９％がＣａＯと反応。
【００２６】
（３）車の始発時の低温ガス：ＣＯ２＝２２〜２５％、
（４）３０分走行後の８５℃以上の高温ガスによる吹き付け：ＣＯ２＝２９〜５９％の増加。方解石はＣＯ２＝４４％なので、高温で方解石組成がわずか生成していた。生成した炭酸塩微粒子は、１μｍサイズの微粒子の集合体であった。
【実施例１】
【００２７】
１．使用薬品、測定器
（１）カルシウム（Ｃａ）．：キシダ化学（株）製，Ｌｏ．Ｎｏ．Ｍ１７７６５Ｖ，９９％）
（２）酸化カルシウム（ＣａＯ）：キシダ化学（株）製，Ｌｏ．Ｎｏ．Ｅｌ０１４８Ｖ，９８％）
（３）水酸化カルシウム（Ｃａ（ＯＨ）２）：キシダ化学（株）製，Ｌｏ．Ｎｏ．０１０−１３６０５，９５％
（４）炭酸ガス・スプレー（中村理科工業製，９５％，および大陽白酸製，９９．９％）
大気中の炭酸ガス測定器：赤外線ＣＯ２モニター（理研計器，ＲＩ−８５）
マルチ検出器ｔｅｓｔｏ５３５（（株）テストー製）
水中の炭酸ガス測定器：Ｔ−ｉ９００４（（株）東興化学研究所製）
２．実験方法
（１）炭酸ガスから水中に溶ける炭酸ガスの測定
水中に直接炭酸ガスノズルで注入した時間変化量を３回行い、いずれも５秒間炭酸ガス噴射で水中の炭酸ガス量が８２〜１３３（ｍｇ／ｌ）から４１０〜４５７（ｍｇ／ｌ）に増加し、その後１０秒間照射で５５６〜９９４（ｍｇ／１）に急増した。１５秒間噴射で１１０６（ｍｇ／ｌ）の１０倍に増加した（水に炭酸ガスが注入されると溶解する。）。
【００２８】
（２）炭酸ガスが水中から大気中に散逸する炭酸ガスの測定
水中の炭酸ガスは、炭素固定にはならないため、時間と共に減少する。前記の１１０６ｍｇ／１の高い炭酸ガス量が１時間半後に元の炭酸ガス量の３３６ｍｇ／ｌになり、３０％の割合に減少する。
【００２９】
回転子で動的に撹拌すると、ある回転数（＞１５００ｒｐｍ）から炭酸ガス量が水中から急減し空気中に散逸する。これは、炭酸ガスが、水中に反応物（Ｃａ含有物など）がないと、空気中に逸散することを示す。実際１２００ｒｐｍで９３０（ｍｇ／ｌ）そして１５５０ｒｐｍで１８００（ｍｇ／ｌ）になる。
【００３０】
水中の炭酸ガス量が減少するため、持続的に炭酸ガスを水中に注入すると、ほぼ維持され、注入がないと炭酸ガスは空中に散逸する。
【００３１】
（３）炭酸ガスを水中に噴射してできたＣａ含有試料（Ｃａ，ＣａＯ，Ｃａ（ＯＨ）２）に吸着される炭酸ガスの測定
ＣａとＣａＯを水中に入れて炭酸ガスを動的注入し撹拌（８００ｒｐｍ）（２５℃）すると、水中の炭酸ガス量が半減する（１分以内の現象）。実際７３（ｍｇ／ｌ）が５〜１５秒間のガス注入で２５（ｍｇ／１）に減少し、これが炭酸塩に炭素固定された量に相当する。
【００３２】
Ｃａ（ＯＨ）２を水中に入れて炭酸ガスを動的注入し撹拌（８００ｒｐｍ）（２５℃）しても、水中の炭酸ガス量が不変である。２５（ｍｇ／ｌ）が５〜１５秒間のガス注入で３３（ｍｇ／１）になった。
【００３３】
この現象は、長持間（約２４００分）にわたり炭酸ガスの液中注入を繰り返すと、水中の炭酸ガスの急増がなく、継続的にＣａ含有物と反応していることを示す。
【００３４】
液体中に生成した炭酸塩物質には、ナノ炭酸塩の形成が観察できた。方解石質組成相などの炭酸塩物質の形成により、炭酸ガスから水中で多量の炭素の固定を再現できた。
【００３５】
水中で炭素固定した炭酸塩物質（方解石質構造）は、広く分散して極微細粒子（約１００ｎｍ）で生成していることが始めてわかった。板状の粒子には炭素が多い（７０％ＣＯ２）ことが始めてわかった。
【実施例２】
【００３６】
１．使用薬品
（１） 酸化カルシウム（ＣａＯ，キシダ化学（株）製，Ｌｏ．Ｎｏ．Ｅ１０１４８Ｖ，９８％）
（２） 炭酸ガス・スプレー（中村理科工業，９５％および大陽白酸，９９．９％）
２．実験方法
ＣａＯ約２グラムを秤量し、炭酸ガスを水中で照射し、高温、マグネットによる回転で実験し、ろ紙でろ過して、回収した量を比較した。一般に炭酸ガスと反応すれば、炭素固定が顕著な試料では回収量が多くなると考えられる。
【００３７】
炭酸ガスの急激な照射で動的反応をさせて、回収量の最大となる条件を求めるために液中に回転子を入れて、２０００回転（ｒｐｍ）まで変化させる。
【００３８】
３．試験結果
９０℃近くに試料全体の重さによる回収量の最大が現れる。その回収量は、約２倍以上に及ぶ。回転１，３００（ｒｐｍ）、炭酸ガス液中照射３０秒間である。
【図面の簡単な説明】
【００３９】
【図１】本発明の実施により生成した不定比含炭素カルシウム化合物の混合物における各化合物におけるカルシウム分（ＣａＯとして）と炭素分（ＣＯ２として）の割合を示すグラフである。
【図１】
0005958889.tif 000002